(57)【要約】【課題】掃除機による掃除の際に、作業者が吸い取るべき塵埃を直接的かつ確実に視認できる安価な吸引ノズルを提供する。【解決手段】内部にチャンバが形成され、底面に、チャンバに連絡する吸込口３を有するハウジング１を備える。ハウジング１の後面には、チャンバに連絡し、掃除機本体の集塵室に連絡する吸気管路の先端に接続されるアタッチメント４が設けられる。ハウジング１の前面１ａにハウジング1の前方を照明する照明手段５が配置される。照明手段５に対する電力供給手段が備えられる。照明手段５は、その光軸がハウジング１の底面から３０ｍｍ以下の高さに位置し、かつハウジング１の底面に対してほぼ平行になるように配置される。【選択図】図１
0003138321.tif 000002
【実用新案登録請求の範囲】
【請求項１】
掃除機本体の集塵部に接続された吸気管路の先端に取り付けられる吸引ノズルであって、
内部にチャンバが形成され、底面または前面またはその両方に、前記チャンバに連絡する吸込口を有するハウジングを備え、前記ハウジングの上面または後面には、前記チャンバに連絡し、前記吸気管路の先端に接続されるアタッチメントが設けられた吸引ノズルにおいて、
前記ハウジングの前面に配置され、前記ハウジングの前方を照明する少なくとも１つの照明手段と、
前記照明手段に対する電力供給手段と、を備え、
前記照明手段は、その光軸が前記ハウジングの底面から３０ｍｍ以下の高さに位置し、かつ前記ハウジングの底面に対してほぼ平行になるように配置されていることを特徴とする掃除機の吸引ノズル。
【請求項２】
前記照明手段の照射角度が２５°以下であることを特徴とする請求項１に記載の掃除機の吸引ノズル。
【請求項３】
前記照明手段の光束が３５〜２００ルーメンであることを特徴とする請求項１または請求項２に記載の掃除機の吸引ノズル。
【請求項４】
前記照明手段は、高輝度ＬＥＤからなっていることを特徴とする請求項１〜請求項３のいずれかに記載の掃除機の吸引ノズル。
【請求項５】
前記照明手段は、光源と、前記光源からの光を集光し、前記ハウジングの前方に照射する集光光学系とを備えていることを特徴とする請求項１〜請求項３のいずれかに記載の掃除機の吸引ノズル。
【請求項６】
前記ハウジングの前記チャンバ内に生じる気流によって前記照明手段を冷却する空冷手段を備えていることを特徴とする請求項１〜請求項５のいずれかに記載の掃除機の吸引ノズル。
【請求項７】
前記空冷手段は、前記照明手段が一方の面に取り付けられた放熱板からなり、前記放熱板は、他方の面が前記チャンバ内に露出するような配置で前記ハウジングに取り付けられていることを特徴とする請求項６に記載の掃除機の吸引ノズル。
【請求項８】
前記電力供給手段は、前記ハウジングに保持された電池、または前記掃除機本体側から前記ハウジングに備えられた回転ブラシの駆動モータに対して電力を供給する電力供給回路からなっていることを特徴とする請求項１〜請求項７のいずれかに記載の掃除機の吸引ノズル。
【考案の詳細な説明】
【技術分野】
【０００１】
本考案は、掃除機本体の集塵部に接続された吸気管の先端に取り付けられる吸引ノズルに関するものである。
【背景技術】
【０００２】
掃除機による室内等の掃除がなされるとき、作業者は、清掃すべき場所に掃除機の吸引ノズルを移動させて吸引ノズルにゴミや埃を吸込ませるが、この場合、作業者は、視認できるゴミや埃が吸引ノズルに吸込まれたことを確認できるが、容易に視認できないものについては吸引ノズルに吸込まれているものと想定するしかなかった。
【０００３】
しかしながら、本考案者が、掃除機によって清掃された直後の場所を調べたところ、それらの場所には、ペットの毛や細かな埃等の容易に視認できない塵埃が、かなりの量残っていることがわかった。
これは、塵埃が視認できないために、それらに対して掃除機の吸引ノズルを的確に向けることができずに取り残してしまうことが原因であると考えられる。つまり、従来の掃除機による掃除作業においては、吸引ノズルを集中的に適用すべき場所と、そうでない場所を的確に区別することができず、無駄な労力、時間およびエネルギーが消費され、清掃効果も十分に得られていないという問題を生じていた。
【０００４】
これに関し、従来、掃除機の吸引ノズルに塵埃検知センサを設けるとともに、このセンサによる塵埃検知情報を表示器に表示することによって、細かい塵埃の存在を容易に視認できるようにしたものがある（例えば、特許文献１、２参照）。しかし、この種の従来の掃除機の吸引ノズルは、その構造が複雑化し、製造コストが高くつくという欠点を有している。さらに、この構成では、作業者が塵埃を直接的に視認することはできず、吸引ノズルが置かれた位置毎にセンサによって塵埃の有無が判定されるので、吸引ノズルの次の移動先における塵埃の有無を前もって判定することができず、このため、吸い取りが不要な場所にも吸引ノズルを移動させねばならず、掃除作業に無駄が生じて非効率的である。
【０００５】
【特許文献１】特開平５−１８４５０７号公報
【特許文献２】特開平９−１４９８７１号公報
【考案の開示】
【考案が解決しようとする課題】
【０００６】
したがって、本考案の課題は、掃除機による掃除の際に、作業者が吸い取るべき塵埃を直接的かつ確実に視認できる安価な吸引ノズルを提供することにある。
【課題を解決するための手段】
【０００７】
上記課題を解決するため、本考案は、掃除機の集塵部に接続された吸気管路の先端に取り付けられる吸引ノズルであって、内部にチャンバが形成され、底面または前面またはその両方に、前記チャンバに連絡する吸込口を有するハウジングを備え、前記ハウジングの上面または後面には、前記チャンバに連絡し、前記吸気管路の先端に接続されるアタッチメントが設けられた吸引ノズルにおいて、前記ハウジングの前面に配置され、前記ハウジングの前方を照明する少なくとも１つの照明手段と、前記照明手段に対する電力供給手段と、を備え、前記照明手段は、その光軸が前記ハウジングの底面から３０ｍｍ以下の高さに位置し、かつ前記ハウジングの底面に対してほぼ平行になるように配置されていることを特徴とする掃除機の吸引ノズルを構成したものである。
【０００８】
上記構成において、前記照明手段の照射角度が２５°以下であることが好ましく、また、前記照明手段の光束が３５〜２００ルーメンであることが好ましい。
また、上記構成において、前記照明手段は、高輝度ＬＥＤからなっていること、あるいは、前記照明手段は、光源と、前記光源からの光を集光し、前記ハウジングの前方に照射する集光光学系とを備えていることが好ましい。
【０００９】
また、上記構成において、好ましくは、前記吸引ノズルは、前記ハウジングの前記チャンバ内に生じる気流によって前記照明手段を冷却する空冷手段を備えている。前記空冷手段は、例えば、前記照明手段が一方の面に取り付けられた放熱板からなり、前記放熱板は、他方の面が前記チャンバ内に露出するような配置で前記ハウジングに取り付けられている。
また、前記電力供給手段は、前記ハウジングに保持された電池、または前記掃除機本体側から前記ハウジングに備えられた回転ブラシの駆動モータに対して電力を供給する電力供給回路からなっていることが好ましい。
【考案の効果】
【００１０】
本考案によれば、掃除機の吸引ノズルのハウジング前面に照明手段を配置するとともに、照明手段の光軸の高さ位置がハウジング底面から３０ｍｍ以下となり、かつハウジング底面にほぼ平行になるようにしたので、掃除中に、吸引ノズルの移動先に向かって、清掃すべき床面等に近接した床面等にほぼ平行な照明がなされる。それによって、床面等に散乱する容易に視認できない細かい塵埃はほぼ真横から強い照明を受け、外部照明が存在していても、照明手段の反対側の床面等に長い影を生じさせる。
【００１１】
こうして、塵埃の一方の側が強い照明を受ける一方、反対側に長い影が形成されることにより、塵埃の輪郭が強いコントラストを伴って床面等からクッキリと浮かび上がって見え、作業者は、吸引ノズルの前方にあるこれらの塵埃を直接視認できる。こうして、作業者は、吸引ノズルの次の移動先における塵埃の有無を前もって判定することができるので、吸引ノズルを集中的に適用すべき場所と、そうでない場所を的確に判断し、効率的に掃除をすることができる。
この場合、照明手段の照射角度を２５°以下とすること、あるいは、照明手段の光束を３５〜２００ルーメンとすることによって、コントラストをより強めることができ、塵埃がよりはっきりと見えるようになる。
また、本考案によれば、吸引ノズルに、照明手段とその電力供給手段を設けるだけでよいので、低コストで吸引ノズルを提供することができる。
【考案を実施するための最良の形態】
【００１２】
以下、添付図面を参照して本考案の好ましい実施例について説明する。図１は、本考案の１実施例による掃除機の吸引ノズルの斜視図であり、図２は、図１の吸引ノズルを前方下側から見た斜視図であり、図３は、図１の吸引ノズルの正面図である。この実施例では、吸引ノズルは回転ブラシを備えているが、本考案の構成を明瞭にするために、図２において、回転ブラシおよびその駆動系を省略してある。また、図６は、図１の吸引ノズルが掃除機本体に取り付けられた状態を示す斜視図である。
【００１３】
図１〜図３を参照して、本考案による掃除機の吸引ノズルは、ハウジング１を備えている。ハウジング１は、この実施例ではほぼ直方体形状を有し、内部にはチャンバ２が形成され、また底面１ｃにはチャンバ２に連絡する吸込口３が形成されている。また、ハウジング１の後面１ｂにはチャンバ２に連絡する円形開口１ｄが形成され、この開口１ｄには管状のアタッチメント４が取り付けられる。このアタッチメント４によって、図６に示すように、吸引ノズルが、掃除機本体１７からのびる吸引ホース１８の延長部分１８ａに接続される。
【００１４】
ハウジング１の前面１ａには、ハウジング１の前方を照明する一対の照明手段５が取り付けられている。照明手段５は、その光軸がハウジング１の底面から３０ｍｍ以下の高さに位置し、かつハウジング１の底面に対してほぼ平行になるように配置される。照明手段５としては、市販の適当な光源を使用することができるが、照射角度が２５°以下であり、また、光束が３５〜２００ルーメンである光源を使用することが好ましい。
【００１５】
図４は、図１の吸引ノズルを後方下側から見た斜視図であり、照明手段の取り付け状態を説明する図である。また、図５は、照明手段の構成の一例を説明する図であり、（Ａ）は照明手段の放熱板への取り付け状態を示す斜視図であり、（Ｂ）は、照明手段の分解斜視図である。図５（Ｂ）からわかるように、この実施例では、照明手段５は、円筒形のハウジング９を備え、ハウジング９の一端開口側には、ＬＥＤ１１が固定された基板１２が取付けられる一方、ハウジング９の他端開口側には集光レンズ１０が取付けられている。ＬＥＤ１１としては、任意の発光色のものを使用することができるが、白色ＬＥＤを使用することが好ましい。
【００１６】
ＬＥＤ１１は、半田付け又は適当な導電性接着剤によって基板１２の中央部に接合される。また、ハウジング９の他端開口縁には一対の切欠９ａが形成され、この切欠９ａに、ＬＥＤ１１の電極１１ａが嵌め込まれた状態で、基板１２が適当な接着剤によってハウジング９に接合されて、照明手段５が組み立てられている。この場合、ＬＥＤ１１の代わりに、豆電球等を光源として用いてもよい。
そして、図５（Ａ）に示すように、基板１２の取付穴１２ａを通り、放熱板７の取付穴７ｃに螺合するネジ１３によって、照明手段５が放熱板７に取り付けられる。
【００１７】
図５（Ａ）に示すように、放熱板７の裏面には、多数のフィン７ａが互いに間隔をあけて設けられ、ＬＥＤ１１の作動中に発生する熱を外部に放出するようになっている。そして、図４に示すように、照明手段５を備えた放熱板７は、その取付穴７ｂを貫通するネジ８によって、ハウジング１の前壁にチャンバ２側から取り付けられる。なお、図示しないが、ハウジング１の前壁には、照明手段５のハウジング９の先端部が露出する開口が形成されている。こうして、掃除機が作動すると、放熱板７のフィン７ａは、チャンバ２内に生じる気流に晒され、よって効率の良い放熱がなされる。
【００１８】
この実施例では、照明手段５を、光源（ＬＥＤ１１）と、光源からの光を集光し、ハウジングの前方に照射する集光光学系（集光レンズ１０）とから構成したことにより、例えば、光源単体では照射角度が２５°より大きい場合に、集光光学系を組み合わせることで照射角度を２５°以下にすることができる。照明手段５の構成はこの実施例に限定されず、照明手段５として例えばＬＥＤを単体で使用し、ＬＥＤを放熱板７に取り付けたものを用いてもよい。この場合、ＬＥＤ自体に集光レンズが組み込まれたものを使用すれば、２５°以下の照射角度を容易に実現することができる。
このようにＬＥＤを光源として使用することによって、省電力、省スペース化を図ることができる。この場合、ＬＥＤとして高輝度ＬＥＤを使用することが好ましく、また、ＬＥＤとしては、任意の発光色のものを使用することができるが、白色のＬＥＤを使用することが特に好ましい。なお、ＬＥＤの代わりに、豆電球およびレーザー光源等を単体で使用することもできる。
【００１９】
アタッチメント４には、ハウジング１に備えられた（図示されない）回転ブラシを回転させる（図示されない）駆動モータに対し、掃除機本体側から電力を供給するための接続端子６が設けられる。さらに、接続端子６には、（図示しない）導線によって、各照明手段５のＬＥＤ１１の電極１１ａが接続される。こうして、吸引ノズルがアタッチメント４を介して掃除機本体１７からのびるホース１８の延長部分１８ａに取り付けられたとき、照明手段５に対する掃除機本体１７側からの電力供給ラインが形成され、この場合、ホース１８の延長部分１８ａに設けられた操作スイッチ１９によって、照明手段５に対する電力供給のＯＮ／ＯＦＦの切り換えがなされる。
【００２０】
掃除機による掃除がなされるとき、ホースの延長部分１８ａの操作スイッチ１９が操作され、掃除機本体１７が作動せしめられるとともに、吸引ノズルの照明手段５が作動せしめられ、照明がなされる。このとき、照明手段５の光軸の高さ位置がハウジング底面から３０ｍｍ以下となり、かつハウジング底面にほぼ平行になるように配置されているので、掃除がなされる間に、吸引ノズルの移動先に向かって、清掃すべき床面等に近接した床面等にほぼ平行に照明がなされ、その結果、床面等に散乱する容易に視認できない細かい塵埃は、ほぼ真横から強い照明を受け、外部照明が存在していても、照明手段５の反対側の床面等に長い影を生じさせる。こうして、塵埃の一方の側に強い照明がなされる一方、反対側には長い影が生じることにより、塵埃の輪郭が強いコントラストを伴って床面等からクッキリと浮かび上がって見え、作業者は、吸引ノズルの前方にあるこれらの塵埃を直接視認できる。この場合、照明手段の照射角度が２５°以下であれば、コントラストがより強められ、塵埃がよりはっきりと見えるようになる。
この効果を実際に確認した結果を図７および図８の写真に示した。図７は、図１の吸引ノズルの照明手段が作動していないときの写真であり、図８は同吸引ノズルの照明手段が作動しているときの写真である。２つの写真の比較から明らかなように、本考案の吸引ノズルによれば、通常は容易に視認できない塵埃を容易に顕在化させることができる。この場合、白色光の照明とすると、塵埃が床面等において白く鮮明に浮かび上がって見え、特に視認し易くなる。それによって、作業者は、吸引ノズルの次の移動先における塵埃の有無を前もって判定することができるので、吸引ノズルを集中的に適用すべき場所と、そうでない場所を的確に判断し、効率的に掃除をすることができる。
【００２１】
図９は、本考案の別の実施例による掃除機の吸引ノズルを示す図であり、（Ａ）は斜視図であり、（Ｂ）は、ハウジングの上側部分を取り去った斜視図である。また、図１０は、図９の吸引ノズルにおける照明手段に対する電力供給系を示した図である。図９および図１０の実施例は、図１〜図８に示した実施例と、照明手段に対する電力供給手段の構成が異なるだけである。よって、図９および図１０において、図１〜図８に示したものと同じ構成要素には同一番号を付し、詳細な説明を省略する。
【００２２】
この実施例は、吸引ノズルが回転ブラシを備えておらず、よって掃除機本体側から吸引ノズル側への電力供給ラインが設けられない場合に特に適したものである。こうして、図９および図１０に示すように、この実施例では、アタッチメント４に上述の実施例のような接続端子６が設けられておらず、照明手段５に対する電力供給手段は、ハウジング１の両側に収容された電池１５からなっている。なお、図示はしないが、ハウジング１の電池収容部には適当な蓋が設けられ、電池交換が容易になされるようになっている。
そして、各照明手段５のＬＥＤ１１は導線１６によって電池１５に接続され、照明手段５に対する電力供給回路が形成される。この電力供給回路にはさらにスイッチ１４が接続される。この場合、スイッチ１４の操作部は、ハウジング１の上面から突出するように配置され、このスイッチ１４が操作されることにより、照明手段５に対する電力供給のＯＮ／ＯＦＦが切り換えられるようになっている。
【００２３】
図１１は、本考案の別の実施例による掃除機の吸引ノズルを示す図であり、（Ａ）は上側から見た斜視図であり、（Ｂ）は下側から見た斜視図である。図１１の実施例では、本考案はハンディタイプの掃除機に適用される。
図１１を参照して、この実施例では、吸引ノズルのハウジング２１が、ホースを介さずに掃除機本体のハウジング２１に一体形成される。吸引ノズルのハウジング２１は、内部にチャンバ２３を有しており、底面２１ｂが、掃除機本体のハウジング２１の平坦な底面から斜め上方に傾斜してのび、前面２１ａが、掃除機本体のハウジング２１の底面に対し垂直にのびている。そして、チャンバ２３に連絡する吸込口２２が、ハウジング２１の底面２１ｂおよび前面２１ａにわたる領域に設けられる。
【００２４】
さらに、吸引ノズルのハウジング２１の前面２１ａには、照明手段２４が備えられる。この照明手段２４は、上述の実施例の照明手段５と同じ構成を有している。そして、照明手段２４は、上述の実施例と同様、その光軸が、ハウジング２１の底面２１ｂから３０ｍｍ以下の高さに位置し、かつハウジング２１の底面２１ｂに対してほぼ平行になるように配置される。
【００２５】
照明手段２４に対する電力供給は、図示しないが、掃除機の集塵室に備えられた吸気ファンに対する電力供給回路からなされ、照明手段の動作のＯＮ／ＯＦＦの切換えは、掃除機本体の操作スイッチによって、掃除機の動作のＯＮ／ＯＦＦの切換えると同時になされる。
【図面の簡単な説明】
【００２６】
【図１】本考案の１実施例による掃除機の吸引ノズルの斜視図である。
【図２】図１の吸引ノズルを前方下側から見た斜視図である。
【図３】図１の吸引ノズルの正面図である。
【図４】図１の吸引ノズルを後方下側から見た斜視図であり、照明手段の取り付け状態を説明する図である。
【図５】照明手段の構成の一例を説明する図であり、（Ａ）は照明手段の放熱板への取り付け状態を示す斜視図であり、（Ｂ）は、照明手段の分解斜視図である。
【図６】図１の吸引ノズルが掃除機本体に取り付けられた状態を示す斜視図である。
【図７】図１の吸引ノズルの照明手段が作動していないときの写真である。
【図８】図１の吸引ノズルの照明手段が作動しているときの写真である。
【図９】本考案の別の実施例による掃除機の吸引ノズルを示す図であり、（Ａ）は斜視図であり、（Ｂ）は、ハウジングの上側部分を取り去った斜視図である。
【図１０】図９の吸引ノズルにおける照明手段に対する電力供給系を示した図である。
【図１１】本考案の別の実施例による掃除機の吸引ノズルを示す図であり、（Ａ）は上側から見た斜視図であり、（Ｂ）は下側から見た斜視図である。
【符号の説明】
【００２７】
１  ハウジング
１ａ  前面
１ｂ  後面
１ｃ  底面
１ｄ  開口
２  チャンバ
３  吸込口
４  アタッチメント
５  照明手段
６  接続端子
７  放熱板
７ａ  フィン
７ｂ、７ｃ  取付穴
８  ネジ
９  ハウジング
９ａ  切欠
１０  集光レンズ
１１  ＬＥＤ
１１ａ  電極
１２  基板
１２ａ  取付穴
１３  ネジ
【図１】
0003138321.tif 000003
【図２】
0003138321.tif 000004
【図３】
0003138321.tif 000005
【図４】
0003138321.tif 000006
【図５】
0003138321.tif 000007
【図６】
0003138321.tif 000008
【図９】
0003138321.tif 000009
【図１０】
0003138321.tif 000010
【図１１】
0003138321.tif 000011
【図７】
0003138321.tif 000012
【図８】
0003138321.tif 000013
【手続補正書】
【提出日】平成19年11月8日(2007.11.8)
【手続補正１】
【補正対象書類名】実用新案登録請求の範囲
【補正対象項目名】全文
【補正方法】変更
【補正の内容】
【実用新案登録請求の範囲】
【請求項１】
掃除機本体の集塵部に接続された吸気管路の先端に取り付けられる吸引ノズルであって、
内部にチャンバが形成され、底面または前面またはその両方に、前記チャンバに連絡する吸込口を有するハウジングを備え、前記ハウジングの上面または後面には、前記チャンバに連絡し、前記吸気管路の先端に接続されるアタッチメントが設けられた吸引ノズルにおいて、
前記ハウジングの前面に配置され、前記ハウジングの前方を照明する少なくとも１つの照明手段と、
前記照明手段に対する電力供給手段と、を備え、
前記照明手段は、その光軸が前記ハウジングの底面から３０ｍｍ以下の高さに位置し、かつ前記ハウジングの底面に対してほぼ平行になるように配置され、前記照明手段の照射角度が２５°以下であることを特徴とする掃除機の吸引ノズル。
【請求項２】
前記照明手段の光束が３５〜２００ルーメンであることを特徴とする請求項１に記載の掃除機の吸引ノズル。
【請求項３】
前記照明手段は、高輝度ＬＥＤからなっていることを特徴とする請求項１または請求項２に記載の掃除機の吸引ノズル。
【請求項４】
前記照明手段は、光源と、前記光源からの光を集光し、前記ハウジングの前方に照射する集光光学系とを備えていることを特徴とする請求項１または請求項２に記載の掃除機の吸引ノズル。
【請求項５】
前記ハウジングの前記チャンバ内に生じる気流によって前記照明手段を冷却する空冷手段を備えていることを特徴とする請求項１〜請求項４のいずれかに記載の掃除機の吸引ノズル。
【請求項６】
前記空冷手段は、前記照明手段が一方の面に取り付けられた放熱板からなり、前記放熱板は、他方の面が前記チャンバ内に露出するような配置で前記ハウジングに取り付けられていることを特徴とする請求項５に記載の掃除機の吸引ノズル。
【請求項７】
前記電力供給手段は、前記ハウジングに保持された電池、または前記掃除機本体側から前記ハウジングに備えられた回転ブラシの駆動モータに対して電力を供給する電力供給回路からなっていることを特徴とする請求項１〜請求項６のいずれかに記載の掃除機の吸引ノズル。
【手続補正２】
【補正対象書類名】明細書
【補正対象項目名】０００７
【補正方法】変更
【補正の内容】
【０００７】
上記課題を解決するため、本考案は、掃除機本体の集塵部に接続された吸気管路の先端に取り付けられる吸引ノズルであって、内部にチャンバが形成され、底面または前面またはその両方に、前記チャンバに連絡する吸込口を有するハウジングを備え、前記ハウジングの上面または後面には、前記チャンバに連絡し、前記吸気管路の先端に接続されるアタッチメントが設けられた吸引ノズルにおいて、前記ハウジングの前面に配置され、前記ハウジングの前方を照明する少なくとも１つの照明手段と、前記照明手段に対する電力供給手段と、を備え、前記照明手段は、その光軸が前記ハウジングの底面から３０ｍｍ以下の高さに位置し、かつ前記ハウジングの底面に対してほぼ平行になるように配置され、前記照明手段の照射角度が２５°以下であることを特徴とする掃除機の吸引ノズルを構成したものである。
【手続補正３】
【補正対象書類名】明細書
【補正対象項目名】０００８
【補正方法】変更
【補正の内容】
【０００８】
上記構成において、前記照明手段の光束が３５〜２００ルーメンであることが好ましい。
また、上記構成において、前記照明手段は、高輝度ＬＥＤからなっていること、あるいは、前記照明手段は、光源と、前記光源からの光を集光し、前記ハウジングの前方に照射する集光光学系とを備えていることが好ましい。
【手続補正４】
【補正対象書類名】明細書
【補正対象項目名】００１０
【補正方法】変更
【補正の内容】
【００１０】
本考案によれば、掃除機の吸引ノズルのハウジング前面に、２５°以下の照射角度を有する照明手段を配置するとともに、その光軸がハウジング底面から３０ｍｍ以下の高さに位置し、かつハウジング底面にほぼ平行になるようにしたので、掃除中に、吸引ノズルの移動先に向かって、清掃すべき床面等に近接した床面等にほぼ平行な照明がなされる。それによって、床面等に散乱する容易に視認できない細かい塵埃はほぼ真横から強い照明を受け、外部照明が存在していても、照明手段の反対側の床面等に長い影を生じさせる。
【手続補正５】
【補正対象書類名】明細書
【補正対象項目名】００１１
【補正方法】変更
【補正の内容】
【００１１】
こうして、塵埃の一方の側が強い照明を受ける一方、反対側に長い影が形成されることにより、塵埃の輪郭が強いコントラストを伴って床面等からクッキリと浮かび上がって見え、作業者は、吸引ノズルの前方にあるこれらの塵埃を直接視認できる。こうして、作業者は、吸引ノズルの次の移動先における塵埃の有無を前もって判定することができるので、吸引ノズルを集中的に適用すべき場所と、そうでない場所を的確に判断し、効率的に掃除をすることができる。
この場合、照明手段の光束を３５〜２００ルーメンとすることによって、コントラストをより強めることができ、塵埃がよりはっきりと見えるようになる。
また、本考案によれば、吸引ノズルに、照明手段とその電力供給手段を設けるだけでよいので、低コストで吸引ノズルを提供することができる。
【手続補正６】
【補正対象書類名】明細書
【補正対象項目名】００１４
【補正方法】変更
【補正の内容】
【００１４】
ハウジング１の前面１ａには、ハウジング１の前方を照明する一対の照明手段５が取り付けられている。照明手段５は、２５°以下の照射角度を有しており、さらに、その光軸がハウジング１の底面から３０ｍｍ以下の高さに位置し、かつハウジング１の底面に対してほぼ平行になるように配置される。照明手段５としては、市販の適当な光源を使用することができるが、光束が３５〜２００ルーメンである光源を使用することが好ましい。